(57)【要約】【課題】水回路中に、スプレー（水とエアーの混合）状にした水を脈動的に流して、該水回路の内壁に付着した付着物を除去洗浄する。【解決手段】水回路中に配設された第１の制御弁２１と、圧縮空気源に接続され、その出力側が前記第１の制御弁２１の下流側の水回路に接続された第２の制御弁２３とを有する。前記第１の制御弁２１と第２の制御弁２３を断続的に開閉して前記第１の制御弁の下流側の水回路１０に脈動流を流して該水回路を洗浄する。【選択図】        図１
2004166813.tif 000002
【特許請求の範囲】
【請求項１】
水回路中に配設された第１の開閉弁と、圧縮空気源に接続されその出力側が前記第１の開閉弁の下流側の水回路に接続された第２の開閉弁とを有し、前記第１の開閉弁と第２の開閉弁を断続的に開閉して前記第１の開閉弁の下流側の水回路に脈動流を流して該水回路を洗浄するようにしたことを特徴とする水回路洗浄装置。
【請求項２】
前記第１の開閉弁及び第２の開閉弁の出力側に逆止弁が配設されていることを特徴とする請求項１に記載の水回路洗浄装置。
【請求項３】
圧縮空気源に接続され、その出力側が水回路に接続された第１の開閉弁と、圧縮空気源に接続され、その出力側が薬液タンクを介して前記水回路に接続された第２の開閉弁とを有し、前記第１の開閉弁と第２の開閉弁を断続的に開閉して前記水回路へ前記薬液タンクからの薬液と前記第１の開閉弁からの圧縮空気の脈動流を流すようにしたことを特徴とする水回路洗浄装置。
【請求項４】
前記第１の開閉弁の下流側及び薬液タンクの下流側に逆止弁が設けられていることを特徴とする請求項３に記載の水回路洗浄装置。
【請求項５】
前記水回路に第３の開閉弁を有し、該第３の開閉弁の下流側に前記脈動流を流すようにしたことを特徴とする請求項１乃至４のいずれかに記載の水回路洗浄装置。
【請求項６】
前記洗浄される水回路は、歯科治療用インスツルメント及び／又はうがい水用の水回路であることを特徴とする請求項１乃至６のいずれかに記載の水回路洗浄装置。
【発明の詳細な説明】
【０００１】
【発明の属する技術分野】
本発明は、水回路洗浄装置、より具体的には、歯科治療ユニットにおけるエアータービン、マイクロモータ、シリンジ等、水路を含む各種インスツルメントの水回路、うがい水用の水回路等にバイオフィルム、不純物等を付着させないようにするための水回路洗浄装置に関する。
【０００２】
【従来の技術】
図４は、本発明が適用される水回路を備えた歯科治療ユニットの一例を説明するための概略構成図で、該歯科治療ユニットは、治療椅子１，ワークテーブル２，スピットン３（鉢洗い水給水管３ａ，うがい水給水管３ｂ等を有する），給排ボックス４，インスツルメントホルダ５，フットスイッチ６，アシスタントインスツルメントホルダ７（例えば、バキューム７ａ，シリンジ７ｂ，排唾管７ｃ等を有する）等から成り、インスツルメントホルダ５には、歯科治療において使用する種々のインスツルメント８（例えば、エアータービン８ａ，マイクロモータ８ｂ，ファイル８ｃ，スケーラ８ｄ，シリンジ８ｅ等を有する）が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
上述のように、歯科治療においては、治療に当って、各種インスツルメントを使用するが、これらインスツルメント内には水回路を有し、例えば、エアータービン、マイクロモータ等においては、歯牙切削時、切削部に冷却水を噴射するようにし、更には、シリンジにおいては、水とエアーの混合体を噴射（スプレー）するようにする等、これらインスツルメントに対する水回路を具備、或いは、うがい水用の水回路を具備している。
【０００４】
【発明が解決しようとする課題】
上述のように、歯科治療においては、各種インスツルメントを使用するが、これらインスツルメントは水回路を具備しており、これら水回路中にバイオフィルムや不純物が付着し、不衛生であった。
【０００５】
本発明は、上述のごとき実情に鑑みてなされたもので、前述のごとき水回路中に、スプレー（水とエアーの混合）状にした水を脈動的に流して、該水回路の内壁に付着した付着物を除去洗浄することを目的としてなされたものである。
【０００６】
【課題を解決するための手段】
請求項１の発明は、水回路中に配設された第１の開閉弁と、圧縮空気源に接続されその出力側が前記第１の開閉弁の下流側の水回路に接続された第２の開閉弁とを有し、前記第１の開閉弁と第２の開閉弁を断続的に開閉して前記第１の開閉弁の下流側の水回路に脈動流を流して該水回路を洗浄するようにしたことを特徴としたものである。
【０００７】
請求項２の発明は、請求項１の発明において、前記第１の開閉弁及び第２の開閉弁の出力側に逆止弁が配設されていることを特徴としたものである。
【０００８】
請求項３の発明は、圧縮空気源に接続され、その出力側が水回路に接続された第１の開閉弁と、圧縮空気源に接続され、その出力側が薬液タンクを介して前記水回路に接続された第２の開閉弁とを有し、前記第１の開閉弁と第２の開閉弁を断続的に開閉して前記水回路へ前記薬液タンクからの薬液と前記第１の開閉弁からの圧縮空気の脈動流を流すようにしたことを特徴としたものである。
【０００９】
請求項４の発明は、請求項３の発明において、前記第１の開閉弁の下流側及び薬液タンクの下流側に逆止弁が設けられていることを特徴としたものである。
【００１０】
請求項５の発明は、請求項１乃至４のいずれかの発明において、前記水回路に第３の開閉弁を有し、該第３の開閉弁の下流側に前記脈動流を流すようにしたことを特徴としたものである。
【００１１】
請求項６の発明は、請求項１乃至６のいずれかの発明において、前記洗浄される水回路は、歯科治療用インスツルメント及び／又はうがい水用の水回路であることを特徴としたものである。
【００１２】
【発明の実施の形態】
図１は、本発明による水回路洗浄装置の一実施例を説明するための要部構成図で、図中、１０は本発明によって洗浄される水回路、例えば、歯科治療用インスツルメント１１，１２等の水回路及びうがい水用の水回路１３等を含む水回路で、該水回路１０の上流側には、該水回路１０を洗浄するための洗浄水流発生装置２０が設けられている。洗浄水流発生装置２０には、前記水回路１０に水を供給する水回路中に設けられた第１の制御弁２１と逆止弁２２、及び、エアー回路中に設けられた第２の制御弁２３と逆止弁２４を有し、該エアー回路を通した圧縮エアーと水回路を通した水とが混合されて水回路１０に供給されるようになっている。
【００１３】
通常は、エアー回路中の第２の制御弁２３を閉じ、水回路中の第１の制御弁２１を開閉して水回路１０へ水を供給、或いは遮断する。水回路１０内を洗浄する時は、第１の制御弁２１と第２の制御弁２３を断続的に開閉して水回路１０へ、水とエアーとを混合してスプレー状にした水を脈動的に供給して、該水回路１０の内壁に付着した付着物を除去、洗浄する。水回路１０内に脈動流を供給することで、洗浄効果を高めることができ、しかも、歯科治療に使用する水を使用しているので、人体に無害であり、また、水回路構成が簡単である。
【００１４】
図２は、本発明による洗浄水流発生装置を歯科治療ユニットにおける給排水ボックス内に設けた場合の実施例を説明するための要部構成図で、図中、第１の制御弁２１乃至逆止弁２４は、図１に示した第１の制御弁２１乃至逆止弁２４と同様に作用して、水回路１０に脈動流を供給し、該水回路１０内を洗浄する。
【００１５】
本実施例においては、通常、制御弁２１，２３は閉、制御弁２５は開、となっており、水回路１０への水の供給は、第３の制御弁２５を介して行われている。また、制御弁２１，２３への逆流は、逆止弁２２，２４により防止されている。水回路洗浄時は、第３の制御弁２５を閉じ、第１の制御弁２１及び第２の制御弁２３を前述のよう断続的に開閉して、水回路１０へ脈動流を供給して、該回路１０の内壁面を洗浄する。洗浄後は、制御弁２１，２３が閉じ、２５が開く。
【００１６】
図３は、本発明の他の実施例を説明するための図で、図中、２６は例えば殺菌効果のある液体が入った薬液タンクで、この実施例においては、第１の制御弁２１は圧縮エアー源に接続されており、該制御弁２１を断続的に開閉することにより、タンク２６内の液体を逆止弁２２を通して断続的に送り出し、この断続的に送り出された液体（薬液）と、第２の制御弁２３を断続的に開閉して送り出されたエアーとが混合されて、水回路１０に、殺菌液を含んだスプレー（殺菌液とエアーとの混合体）が脈動的に供給され、水回路１０内を洗浄するとともに殺菌する。
【００１７】
【発明の効果】
以上の説明から明らかなように、本発明によると、水回路の内壁の付着物を効果的に除去し、該水回路の内壁面を洗浄することができる。
洗浄に使用する水を、治療に用いる水を使用しているので、水回路の構成が簡単であり、また、人体に無害である。
また、水の代わりに殺菌効果のある液体を用いて洗浄することも可能であり、このようにすれば、殺菌効果も期待できる。
【図面の簡単な説明】
【図１】本発明による水回路洗浄装置の一実施例を説明するための要部構成図である。
【図２】本発明による洗浄水流発生装置を歯科治療ユニットにおける給排水ボックス内に設けた場合の実施例を説明するための要部構成図である。
【図３】本発明の他の実施例を説明するための図である。
【図４】本発明が適用される水回路を備えた歯科治療ユニットの一例を説明するための概略構成図である。
【符号の説明】
１０…洗浄される水回路、２０…洗浄水流発生装置、２１…第１の制御弁、２２，２４…逆止弁、２３…第２の制御弁、２５…第３の制御弁、２６…薬液タンク。
【図１】
2004166813.tif 000003
【図２】
2004166813.tif 000004
【図３】
2004166813.tif 000005
【図４】
2004166813.tif 000006